(57)【要約】【課題】素子基板に対して、レンズアレイや透光性スペーサーなどの透光部材が配置されていることを最大限利用してシール部分を長くし、発光素子の酸素や水分による劣化を確実に防止することのできる電気光学装置、露光ヘッドおよび画像形成装置を提供すること。【解決手段】露光ヘッド１０において、素子基板１１は、有機ＥＬ素子２が設けられた第１基板面１１ａを、ハウジング５において端板部５２によって閉塞されている側に向け、この状態で、素子基板１１とハウジング５の筒状胴部５１の内壁との間は第１シール材８ａによって封止されている。ハウジング５における開放端側（筒状胴部５１の他方端側）は透光部材４を保持するための透光部材保持部５３になっており、かかる透光部材保持部５３において、透光部材４と透光部材保持部５３との間は第２シール材８ｂによって封止されている。【選択図】図３
2010240848.tif 000002
【特許請求の範囲】
【請求項１】
第１基板面に発光素子が設けられた透光性の素子基板と、該素子基板において前記第１基板面とは反対側の第２基板面側に設けられた透光部材と、を備え、前記発光素子から出射された光が前記素子基板および前記透光部材を介して出射される電気光学装置であって、
前記素子基板の周りを囲む筒状胴部および該筒状胴部の一方端を塞ぐ端板部を備え、前記筒状胴部の他方端側で前記透光部材を透過した光を出射する開口部をもって前記透光部材を保持する透光部材保持部を備えたハウジングと、
前記ハウジングの内部で前記第１基板面を前記端板部に向けて配置された前記素子基板と前記ハウジングとの間を封止する第１シール材と、
前記透光部材と前記ハウジングとの間を封止する第２シール材と、
を有していることを特徴とする電気光学装置。
【請求項２】
前記発光素子は、有機エレクトロルミネッセンス素子であることを特徴とする請求項１に記載の電気光学装置。
【請求項３】
前記透光部材は、前記発光素子から出射された光を収束光として出射するレンズが一体形成されたレンズアレイであり、
前記第２シール材は、前記レンズアレイと前記ハウジングとの間を封止していることを特徴とする請求項１または２に記載の電気光学装置。
【請求項４】
前記透光部材は、前記発光素子から出射された光を収束光として出射するレンズを備えたレンズアレイと、該レンズアレイと前記素子基板との間に介在する透光性スペーサーと、を備え、
前記第２シール材は、前記レンズアレイと前記ハウジングとの間を封止していることを特徴とする請求項１または２に記載の電気光学装置。
【請求項５】
前記透光部材は、前記発光素子から出射された光を収束光として出射するレンズを備えたレンズアレイと、該レンズアレイと前記素子基板との間に設けられた透光性スペーサーと、を備え、
前記第２シール材は、前記透光性スペーサーと前記ハウジングとの間を封止していることを特徴とする請求項１または２に記載の電気光学装置。
【請求項６】
前記透光部材は、前記発光素子から出射された光を収束光として出射するレンズを備えたレンズアレイと、該レンズアレイと前記素子基板との間に設けられた透光性スペーサーと、を備え、
前記第２シール材は、前記透光性スペーサーと前記ハウジングとの間、および前記レンズアレイと前記ハウジングとの間を封止していることを特徴とする請求項１または２に記載の電気光学装置。
【請求項７】
前記ハウジングは、全体が一体形成されていることを特徴とする請求項１乃至６の何れか一項に記載の電気光学装置。
【請求項８】
前記ハウジングは、前記筒状胴部および前記端板部を備えたハウジング本体と、前記開口部をもって前記筒状胴部の他方端に連結された蓋部材と、を備え、
前記筒状胴部の他方端と前記蓋部材との間は第３シール材、あるいは前記第２シール材によって封止されていることを特徴とする請求項１乃至６の何れか一項に記載の電気光学装置。
【請求項９】
前記素子基板の前記第１基板面と前記ハウジングとによって区画された空間内には、酸素および水分のうちの少なくとも一方を捕捉するゲッター材が設けられていることを特徴とする請求項１乃至８の何れか一項に記載の電気光学装置。
【請求項１０】
前記素子基板の前記第２基板面側で前記透光部材と前記ハウジングとによって区画された空間内には、酸素および水分のうちの少なくとも一方を捕捉するゲッター材が設けられていることを特徴とする請求項１乃至９の何れか一項に記載の電気光学装置。
【請求項１１】
請求項１乃至１０の何れか一項に記載の電気光学装置からなることを特徴とする画像形成装置用の露光ヘッド。
【請求項１２】
請求項１乃至１０の何れか一項に記載の電気光学装置を露光ヘッドとして備えた画像形成装置であって、
前記発光素子から出射された光によって潜像が形成される像担持体を有していることを特徴とする画像形成装置。
【発明の詳細な説明】
【技術分野】
【０００１】
本発明は、有機エレクトロルミネッセンス素子（以下、ＥＬ（Electroluminescence）という）などの発光素子が素子基板上に形成された電気光学装置、露光ヘッド、および画像形成装置に関するものである。
【背景技術】
【０００２】
素子基板上に発光素子が設けられた電気光学装置としては、例えば、有機ＥＬ装置を例示でき、かかる有機ＥＬ装置は、画像形成装置において像担持面に潜像を形成するための露光ヘッドなどとして用いられる（例えば、特許文献１、２参照）。
【０００３】
露光ヘッドは、例えば、図１１（ａ）に示すように、第１基板面１１ａに有機ＥＬ素子２が設けられた透光性の素子基板１１を備えている。かかる素子基板１１において第１基板面１１ａとは反対側の第２基板面１１ｂ側にはレンズアレイ４０が配置されており、素子基板１１およびレンズアレイ４０はフレーム５ｘによって保持される。また、露光ヘッドは、図１１（ｂ）に示すように、第１基板面１１ａに有機ＥＬ素子２が設けられた透光性の素子基板１１を備えており、素子基板１１の第２基板面１１ｂ側には透光性スペーサー４５およびレンズアレイ４０が配置されている場合もある。
【０００４】
このような構成の露光ヘッドにおいて、有機ＥＬ素子２は酸素や水分との接触によって劣化しやすい。そこで、素子基板１１の第１基板面１１ａ側に缶状の封止部材５ｙを被せ、封止部材５ｙの側板部と素子基板１１との間をシール材８によって封止した構造が採用されることが多い。
【先行技術文献】
【特許文献】
【０００５】
【特許文献１】２００６−２１８８４８号公報
【特許文献１】２００６−２１８８４９号公報
【発明の概要】
【発明が解決しようとする課題】
【０００６】
しかしながら、図１１（ａ）、（ｂ）に示す封止構造では、シール部分の長さが封止部材５ｙの側板部の厚さ分しかなく、短い。このため、外部から封止部材５ｙと素子基板１１との間から酸素や水分が侵入するおそれがある。かといって、封止部材５ｙの側板部を厚くしてシール部分を長くすると、露光ヘッドが大型化するとともにコストが増大する。
【０００７】
以上の問題点に鑑みて、本発明の課題は、素子基板に対して、レンズアレイや透光性スペーサーなどの透光部材が配置されていることを最大限利用してシール部分を長くして、発光素子の酸素や水分による劣化を確実に防止することのできる電気光学装置、露光ヘッド、および画像形成装置を提供することにある。
【課題を解決するための手段】
【０００８】
上記課題を解決するために、本発明は、第１基板面に発光素子が設けられた透光性の素子基板と、該素子基板において前記第１基板面とは反対側の第２基板面側に設けられた透光部材と、を備え、前記発光素子から出射された光が前記素子基板および前記透光部材を介して出射される電気光学装置であって、前記素子基板の周りを囲む筒状胴部および該筒状胴部の一方端を塞ぐ端板部を備え、前記筒状胴部の他方端側で前記透光部材を透過した光を出射する開口部をもって前記透光部材を保持する透光部材保持部を備えたハウジングと、前記ハウジングの内部で前記第１基板面を前記端板部に向けて配置された前記素子基板と前記ハウジングとの間を封止する第１シール材と、前記透光部材と前記ハウジングとの間を封止する第２シール材と、を有していることを特徴とする。
【０００９】
本発明では、素子基板および透光部材を共通のハウジングによって保持している。また、素子基板は、発光素子が設けられた第１基板面を、ハウジングにおいて端板部によって閉塞されている側に向け、この状態で、素子基板とハウジングとの間は第１シール材によって封止されている。また、ハウジングにおける開放端側（筒状胴部の他方端側）は透光部材を保持するための透光部材保持部になっており、かかる透光部材保持部において、透光部材とハウジングとの間は第２シール材によって封止されている。このため、発光素子と外部との間には、第１シール材による封止部分と第２シール材による封止部分とが直列に設けられているので、酸素や水分が発光素子に到達するには、第１シール材による封止部分と、第２シール材による封止部分とを侵入する必要があるため、部材を大型化するなどの変更を行なわなくても、封止性能を向上することができる。
【００１０】
本発明は、前記発光素子が有機ＥＬ素子である場合に適用すると特に効果的である。かかる有機ＥＬ素子は特に酸素や水分によって劣化しやすいため、本発明を適用した場合の効果が顕著である。
【００１１】
本発明において、前記透光部材は、例えば、前記発光素子から出射された光を収束光として出射するレンズが一体形成されたレンズアレイである。この場合、前記第２シール材は、前記レンズアレイと前記ハウジングとの間を封止している構成を採用する。
【００１２】
本発明において、前記透光部材は、前記発光素子から出射された光を収束光として出射するレンズを備えたレンズアレイと、該レンズアレイと前記素子基板との間に介在する透光性スペーサーと、を備えている場合がある。
【００１３】
かかる構成の場合、前記第２シール材は、前記レンズアレイと前記ハウジングとの間を封止している構成を採用することができる。また、前記第２シール材は、前記透光性スペーサーと前記ハウジングとの間を封止している構成を採用してもよい。本発明では、前記第２シール材が、前記透光性スペーサーと前記ハウジングとの間、および前記レンズアレイと前記ハウジングとの間を封止していることが好ましい。
【００１４】
本発明において、前記ハウジングは、全体が一体形成されていることが好ましい。かかる構成によれば、ハウジングを複数の部材で構成した場合と違って、部材の間から酸素や水分が侵入するおそれがない。
【００１５】
本発明において、前記ハウジングは、前記筒状胴部および前記端板部を備えたハウジング本体と、前記開口部をもって前記筒状胴部の他方端に連結された蓋部材と、を備えている構成を採用してもよく、かかる構成の場合、前記筒状胴部の他方端と前記蓋部材との間は第３シール材、あるいは前記第２シール材によって封止されていることが好ましい。
【００１６】
本発明において、前記素子基板の前記第１基板面と前記ハウジングとによって区画された空間内には、酸素および水分のうちの少なくとも一方を捕捉するゲッター材が設けられていることが好ましい。かかる構成によれば、素子基板の第１基板面とハウジングとによって区画された空間内に酸素や水分が侵入した場合でゲッター材によって捕捉することができるので、酸素や水分によって発光素子が劣化することをより確実に防止することができる。
【００１７】
本発明において、前記素子基板の前記第２基板面側で前記透光部材と前記ハウジングとによって区画された空間内には、酸素および水分のうちの少なくとも一方を捕捉するゲッター材が設けられていることが好ましい。かかる構成によれば、素子基板の第２基板面側で透光部材とハウジングとによって区画された空間内に酸素や水分が侵入した場合でもゲッター材によって捕捉することができるので、素子基板の第１基板面とハウジングとによって区画された空間内に酸素や水分が侵入することを防止することができる。それ故、酸素や水分によって発光素子が劣化することをより確実に防止することができる。
【００１８】
本発明を適用した電気光学装置は、画像形成装置の露光ヘッドとして用いることができ、かかる画像形成装置は、前記発光素子から出射された光によって潜像が形成される像担持体を有している。
【００１９】
また、本発明を適用した電気光学装置は、画像形成装置の露光ヘッド以外にも、発光素子を光源として用いた照明装置などの電子機器や、本発明を適用した電気光学装置を表示装置として用いた携帯電話機、モバイルコンピューターなどの電子機器に用いることができる。
【図面の簡単な説明】
【００２０】
【図１】本発明を適用した画像印刷装置の要部を示す説明図である。
【図２】図１に示す露光ヘッドに用いた主要部材の説明図である。
【図３】本発明の実施の形態１に係る露光ヘッドの説明図である。
【図４】本発明の実施の形態１の変形例に係る露光ヘッドの説明図である。
【図５】本発明の実施の形態２に係る露光ヘッドの説明図である。
【図６】本発明の実施の形態２の変形例に係る露光ヘッドの説明図である。
【図７】本発明の実施の形態３に係る露光ヘッドの説明図である。
【図８】本発明の実施の形態３の変形例に係る露光ヘッドの説明図である。
【図９】本発明を適用した画像形成装置の全体構成を示す縦断面図である。
【図１０】本発明を適用した別の画像形成装置の全体構成を示す縦断面図である。
【図１１】従来の画像形成装置に用いた露光ヘッドの説明図である。
【発明を実施するための形態】
【００２１】
図面を参照して、本発明の実施の形態を説明する。なお、以下の説明では、本発明を適用した電気光学装置を画像形成装置の露光ヘッドとして用いた例を中心に説明する。
【００２２】
［画像印刷装置の構成］
図１は、本発明を適用した画像印刷装置の要部を示す説明図であり、図１（ａ）、（ｂ）は各々、透光部材としてレンズアレイを用いた場合の説明図、および透光部材としてレンズアレイと透光性スペーサーとを用いた場合の説明図である。
【００２３】
図１（ａ）、（ｂ）に示す画像形成装置１００は、プリンター、コピー機、ファクシミリなどの印刷部分として使用される装置であり、矢印Ａで示す母線方向（主走査方向）に延在する円筒状の感光体ドラム１１０と、感光体ドラム１１０の半径方向外側に配置された露光ヘッド１０（電気光学装置）とを有している。感光体ドラム１１０は、円周面（外周面）上に像担持面１１０ｓを備えており、軸線Ｘ周りの方向（矢印Ｂで示す方向／副走査方向）に回転し、露光ヘッド１０は、感光体ドラム１１０の半径方向外側から像担持面１１０ｓに光照射を照射して像担持面１１０ｓ上に潜像を形成する。
【００２４】
露光ヘッド１０は、第１基板面１１ａに素子形成領域２８が設けられた透光性の素子基板１１を備えており、素子基板１１において第１基板面１１ａとは反対側の第２基板面１１ｂ側には透光部材４が配置されている。
【００２５】
図１（ａ）に示す画像形成装置１００では、透光部材４として、素子基板１１と感光体ドラム１１０との間にレンズアレイ４０が配置されている。
【００２６】
図１（ｂ）に示す画像形成装置１００では、透光部材４として、素子基板１１と感光体ドラム１１０との間にレンズアレイ４０が配置されているとともに、素子基板１１とレンズアレイ４０との間に透光性スペーサー４５が配置されている。かかる透光性スペーサー４５は、素子基板１１とレンズアレイ４０との距離を規定している。
【００２７】
（素子基板１１およびレンズアレイ４０の構成）
図２は、図１に示す露光ヘッド１０に用いた主要部材の説明図であり、図２（ａ）、（ｂ）、（ｃ）は各々、素子基板１１の断面構成を示す説明図、素子基板１１の平面構成を示す説明図、およびレンズアレイ４０の説明図である。
【００２８】
図２（ａ）に示すように、露光ヘッド１０は、第１基板面１１ａの側に、発光素子としての有機ＥＬ素子２が形成された素子基板１１を有しており、素子基板１１の第１基板面１１ａには、薄膜トランジスター１５などが形成された回路部３も形成されている。回路部３に形成された複数の層間絶縁膜のうち、最上層の層間絶縁膜上には、ＩＴＯ等からなる透明な画素電極２４が形成されており、画素電極２４は、薄膜トランジスター１５に電気的に接続されている。画素電極２４の上層には、隣接する画素電極２４との間にシリコン酸化膜などからなる絶縁層１７が形成されており、かかる絶縁層１７は、画素電極２４に対して部分的に重なっている。このため、絶縁層１７の開口部では、画素電極２４の表面が露出している。絶縁層１７の上層には、画素電極２４の周りを囲むように、高さが１〜３．５μｍのアクリル樹脂やポリイミド樹脂等からなる隔壁１８が形成されており、隔壁１８で囲まれた領域内では、絶縁層１７の上層側に有機機能層２０が積層されている。有機機能層２０の上層には陰極層２５が形成されており、画素電極２４、有機機能層２０および陰極層２５によって有機ＥＬ素子２が構成されている。かかる有機ＥＬ素子２は、素子形成領域２８に複数、形成されている。なお、図２（ａ）では、有機ＥＬ素子２と薄膜トランジスター１５とが重なる位置に表されているが、有機ＥＬ素子２と薄膜トランジスター１５とはずれた位置に形成されている。
【００２９】
有機機能層２０は、例えば、画素電極２４上に積層された正孔注入輸送層２１と、正孔注入輸送層２１上に積層された発光層２２とを備えている。発光層２２の下層あるいは上層には、インターレイアー層等、その他の機能を有する他の有機機能層が設けられることがある。例えば、発光層２２の上層には、アルミニウムキノリノール（Ａｌｑ3）などからなる電子輸送層を形成することもある。正孔注入輸送層２１は、正孔を発光層２２に注入する機能を有するとともに、正孔を輸送する機能を有する。発光層２２では、正孔注入輸送層２１から注入された正孔と、陰極層２５から注入される電子が発光層で再結合し、発光が行われる。ここで、発光層２２は、全ての有機ＥＬ素子２において白色光を出射するように構成されている。
【００３０】
正孔注入輸送層２１は、正孔注入輸送層形成材料および溶媒（分散媒を含む）を含む液状組成物を隔壁１８の内側に吐出してから溶媒を除去して形成したものである。発光層２２も、発光層形成材料および溶媒（分散媒を含む）を含む液状組成物を隔壁１８の内側に吐出してから溶媒を除去して形成したものである。このようにして、正孔注入輸送層２１および発光層２２を形成する際、隔壁１８は、液状組成物が外にはみ出ることを防止する機能を担っている。かかる構成の場合、正孔注入輸送層２１は、例えば、ポリオレフィン誘導体である３，４−ポリエチレンジオシチオフェン／ポリスチレンスルホン酸（ＰＥＤＯＴ／ＰＳＳ）や、ポリマー前駆体がポリテトラヒドロチオフェニルフェニレンであるポリフェニレンビニレン、１，１−ビス−（４−Ｎ、Ｎ−ジトリルアミノフェニル）シクロヘキサン等の有機機能材料からなる。発光層２２は、例えば、ポリフルオレン誘導体、ポリフェニレン誘導体、ポリビニルカルバゾール、ポリチオフェン誘導体、またはこれらの高分子材料に、ペリレン系色素、クマリン系色素、ローダミン系色素、例えばルブレン、ペリレン、９，１０−ジフェニルアントラセン、テトラフェニルブタジエン、ナイルレッド、クマリン６、キナクリドン等をドープした有機機能材料からなる。
【００３１】
また、正孔注入輸送層２１および発光層２２は、蒸着により形成されることもある。かかる構成の場合、正孔注入輸送層２１は、トリアリールアミン（ＡＴＰ）多量体などからなる。発光層２２は、アントラセン系ドーパントやルブレン系ドーパントを含むスチリルアミン系材料などからなる。
【００３２】
陰極層２５は、素子基板１１の一方面の略全面、あるいはストライプ状に形成されており、画素電極２４と対になって有機機能層２０に電流を流す役割を果たす。陰極層２５は、例えば、カルシウム層とアルミニウム層とが積層された構造を有している。本形態においては、陰極層２５が発光層２２に直接に接して発光層２２に電子を注入する役割を果たしているが、発光層２２の材料によっては発光効率を高めることを目的に、発光層２２と陰極層２５との間にＬｉＦなどの電子注入層を形成する場合もある。
【００３３】
本形態の露光ヘッド１０は、例えば、素子基板１１の側から光を出射するボトムエミッション型であり、陰極層２５はＡｌ（アルミニウム）などの反射材料から構成されている。従って、有機機能層２０から素子基板１１側に発した光は、矢印Ｌ１で示すように、素子基板１１の第２基板面１１ｂの側から出射される、また、有機機能層２０から素子基板１１とは反対側に発した光は、陰極層２５により反射されて、矢印Ｌ１で示すように、素子基板１１を透過して素子基板１１の下側に出射される。従って、ボトムエミッション型の露光ヘッド１０では、素子基板１１としては、ガラス製、石英製、透明樹脂製などといった透明素子基板が用いられる。
【００３４】
かかる有機ＥＬ素子２のレイアウトは、例えば、図２（ｂ）に示すように表される。ここに示す例では、素子基板１１の第１基板面１１ａにおいて、感光体ドラム１１０の回転方向（矢印Ｂで示す方向）と直交する方向（矢印Ａで示す方向／感光体ドラム１１０の母線方向）に有機ＥＬ素子２が配列された素子列２０が感光体ドラム１１０の回転方向に２列、設けられており、各素子列２０の間において、有機ＥＬ素子２は、感光体ドラム１１０の母線方向でずれた位置に設けられている。なお、素子列２０は３列以上、例えば、４列設けられることもある。かかる構成によれば、有機ＥＬ素子２同士を近接するのに限界があっても、感光体ドラム１１０の母線方向において有機ＥＬ素子２が近接したのと同様な状態にあるので、画像の高精細化を図ることができる。
【００３５】
図２（ｃ）に示すように、レンズアレイ４０では、図２（ｂ）に示す有機ＥＬ素子２のレイアウトに対応して複数のレンズ４２が配置されている。本形態において、レンズ４２は屈折率分布型レンズであり、レンズアレイ４０は、ガラス製あるいは樹脂製の集束性レンズアレイとして構成されている。かかる屈折率分布型のレンズ４２は、中心軸すなわち光軸での屈折率が低く、中心軸から離れるほど屈折率が高くなるように形成されたグレーデッドインデックス光ファイバーであり、有機ＥＬ素子２から出射された光を透過させて正立像を感光体ドラム１１０に結像可能である。かかる集束性レンズアレイの具体例には、例えば日本板硝子株式会社から入手可能なＳＬＡ(セルフォック・レンズ・アレイ)がある。
【００３６】
このような構成のレンズアレイ４０を用いた場合、レンズアレイ４０の光の入口と有機ＥＬ素子２との距離と、レンズアレイ４０の光の出口と感光体ドラム１１０の間の距離とを等しくする必要がある。かかる距離を制御するにあたって、図１（ａ）に示すタイプの画像形成装置１００および露光ヘッド１０では、後述するハウジングによって、レンズアレイ４０と素子基板１１との距離を規定している。これに対して、図１（ｂ）に示すタイプの画像形成装置１００および露光ヘッド１０では、透光性スペーサー４５によってレンズアレイ４０と素子基板１１との距離を規定している。ここで、透光性スペーサー４５の一方端とレンズアレイ４０とが接着剤９ｅにより接合されている構成が採用される。また、透光性スペーサー４５の他方端と素子基板１１の第２基板面１１ｂとが接着剤９ｆで接合されている構成が採用される。このようにして接着剤９ｅ、９ｆにより接合されている構成を採用する場合、接着剤９ｅ、９ｆについては屈折率が透光性スペーサー４５と同一のものを用いることが好ましい。
【００３７】
このように構成した露光ヘッド１０において、有機ＥＬ素子２は、酸素や水分と接触すると劣化し、非点灯状態となる。そこで、本発明を適用した露光ヘッド１０および画像形成装置１００では、以下に説明する封止構造が採用されている。
【００３８】
［実施の形態１］
図３は、本発明の実施の形態１に係る露光ヘッド（電気光学装置）の説明図であり、図３（ａ）、（ｂ）、（ｃ）、（ｄ）は各々、本発明の実施の形態１に係る露光ヘッドの全体構成を示す説明図、露光ヘッドを光出射面側からみた底面図、露光ヘッドに用いたハウジングのハウジング本体の説明図、および露光ヘッドの断面図である。なお、図３（ｄ）は、露光ヘッド１０を図３（ｂ）のＢ１−Ｂ１′線に相当する位置で切断したときの断面図に相当する。
【００３９】
図３に示す露光ヘッド１０は、図１（ａ）に示すタイプであり、透光部材４としてレンズアレイ４０のみを備え、透光性スペーサー４５を備えていない。このため、以下に説明するように、透光部材４とハウジング５との間の封止は、レンズアレイ４０とハウジング５との間で行なわれている。
【００４０】
本形態の露光ヘッド１０において、ハウジング５は、一方端が開放状態にあるハウジング本体６と、かかるハウジング本体６の開放端側に被せられた蓋材７とからなる。また、素子基板１１において有機ＥＬ素子２が形成されている第１基板面１１ａにはフレキシブル基板１９が接続されている。
【００４１】
ハウジング５は、筒状胴部５１および筒状胴部５１の一方端を塞ぐ端板部５２を備えており、筒状胴部５１の他方端側には、透光部材４を透過した光を出射する開口部５４をもって透光部材４（レンズアレイ４０）を保持する透光部材保持部５３を備えている。本形態において、筒状胴部５１は角筒状である。
【００４２】
本形態においては、透光部材保持部５３としては開口部５４が利用されており、かかる開口部５４に透光部材４（レンズアレイ４０）が嵌った状態にある。ここで、ハウジング５は、ハウジング本体６と蓋材７とからなり、筒状胴部５１および端板部５２はハウジング本体６に形成され、開口部５４および透光部材保持部５３は蓋材７に形成されている。
【００４３】
かかるハウジング５を用いて露光ヘッド１０を構成するにあたって、素子基板１１は、有機ＥＬ素子２が形成されている第１基板面１１ａを端板部５２に向けて配置されている。本形態では、ハウジング５の筒状胴部５１の内面に段部５１ａが形成されており、かかる段部５１ａに素子基板１１が保持されている。かかるハウジング５（ハウジング本体６および蓋材７）としては、ガラス製、金属製、樹脂製のものを用いることができる。
【００４４】
このように構成した露光ヘッド１０において、素子基板１１の外周端部と筒状胴部５１の内壁との間は第１シール材８ａによって封止されている。また、透光部材４（レンズアレイ４０）の外周面と透光部材保持部５３（開口部５４）の内周面との間は第２シール材８ｂによって封止されている。また、ハウジング本体６と蓋材７との間は第３シール材８ｃによって封止されている。かかるシール材８ａ、８ｂ、８ｃについては、エポキシ樹脂などの樹脂系シール材、あるいは低融点ガラスを用いたガラス系シール材を用いることができる。ここで、シール材８ａ、８ｂ、８ｃについては同一の材料を用いてもよいが、異なる材料を用いてもよい。
【００４５】
なお、ハウジング本体６では、長手方向の一方の端部６６は、素子基板１１の一方の端部１１ｓを引き出すための切り欠き６７が形成されている。かかる切り欠き６７を封止するにあたっては、蓋材７の端部７６を折り曲げ、かかる端部７６と素子基板１１の第２基板面１１ｂとの間は第４シール材８ｄにより封止されている。かかる第４シール材８ｄについても、エポキシ樹脂などの樹脂系シール材、あるいは低融点ガラスを用いたガラス系シール材を用いることができる。
【００４６】
また、素子基板１１の第１基板面１１ａとハウジング５とによって区画された空間５ａ内には、酸素および水分のうちの少なくとも一方を捕捉するゲッター材９ａが設けられている。本形態において、ゲッター材９ａはハウジング５の端板部５２に取り付けられている。また、素子基板１１の第２基板面１１ｂ側で透光部材４（レンズアレイ４０）とハウジング５とによって区画された空間５ｂ内にも、空間５ａと同様、酸素および水分のうちの少なくとも一方を捕捉するゲッター材９ｂが設けられている。本形態において、ゲッター材９ｂは、素子基板１１の第２基板面１１ｂ、筒状胴部５１の内壁、および蓋材７の内面のうち、有機ＥＬ素子２から出射された光を遮らない位置に取り付けられている。
【００４７】
ゲッター材９ａ、９ｂとして乾燥材を用いる場合、水分を吸収できるものであれば、その種類については限定がなく、種々のものが使用可能である。例えば、ゲッター材９ａ、９ｂとしては、酸化ナトリウム（Ｎａ２Ｏ）、酸化カリウム（Ｋ２Ｏ）、酸化カルシウム（ＣａＯ）、酸化バリウム（ＢａＯ）、酸化マグネシウム（ＭｇＯ）、硫酸リチウム（Ｌｉ２ＳＯ4）、硫酸ナトリウム（Ｎａ２ＳＯ4）、硫酸カルシウム（ＣａＳＯ4）、硫酸マグネシウム（ＭｇＳＯ4）、硫酸コバルト（ＣｏＳＯ4）、硫酸ガリウム（Ｇａ２（ＳＯ4）3）、硫酸チタン（Ｔｉ（ＳＯ4）２）、硫酸ニッケル（ＮｉＳＯ4）、塩化カルシウム（ＣａＣｌ２）、塩化マグネシウム（ＭｇＣｌ２）、塩化ストロンチウム（ＳｒＣｌ２）、塩化イットリウム（ＹＣｌ3）、塩化銅（ＣｕＣｌ２）、フッ化セシウム（ＣｓＦ）、フッ化タンタル（ＴａＦ5）、フッ化ニオブ（ＮｂＦ5）、臭化カルシウム（ＣａＢｒ２）、臭化セリウム（ＣｅＢｒ3）、臭化セレン（ＳｅＢｒ4）、臭化バナジウム（ＶＢｒ２）、臭化マグネシウム（ＭｇＢｒ２）、ヨウ化バリウム（ＢａＩ２）、ヨウ化マグネシウム（ＭｇＩ２）、過塩素酸バリウム（Ｂａ（ＣｌＯ4）２）、過塩素酸マグネシウム（Ｍｇ（ＣｌＯ4）２）等を用いることができる。
【００４８】
ゲッター材９ａ、９ｂとして脱酸素材を用いる場合、酸素を吸収できるものであれば種類について限定がなく、種々のものが使用可能である。例えば、ゲッター材９ａ、９ｂとしては、活性炭、シリカゲル、活性アルミナ、モレキュラーシーブ、酸化マグネシウム、酸化鉄、酸化チタン等が挙げられる。
【００４９】
ゲッター材９ａ、９ｂとしては、乾燥材のみ、脱酸素材のみ、あるいはこれらの両方を設けてもよい。または、酸化マグネシウムのように乾燥材と脱酸素材の両方の機能を兼ね備えるゲッター材９ａ、９ｂを設けてもよい。
【００５０】
（本形態の主な効果）
以上説明したように、本形態の露光ヘッド１０（電気光学装置）および画像形成装置１００では、素子基板１１および透光部材４を共通のハウジング５によって保持している。また、素子基板１１は、有機ＥＬ素子２が設けられた第１基板面１１ａを、ハウジング５において端板部５２によって閉塞されている側に向け、この状態で、素子基板１１とハウジング５の筒状胴部５１の内壁との間は第１シール材８ａによって封止されている。また、ハウジング５における開放端側（筒状胴部５１の他方端側）は透光部材４を保持するための透光部材保持部５３になっており、かかる透光部材保持部５３において、透光部材４と透光部材保持部５３との間は第２シール材８ｂによって封止されている。このため、有機ＥＬ素子２と外部との間には、第１シール材８ａによる封止部分と第２シール材８ｂによる封止部分とが直列に設けられているので、酸素や水分が有機ＥＬ素子２に到達するには、第１シール材８ａによる封止部分と、第２シール材８ｂによる封止部分とを侵入する必要があるため、部材を大型化するなどの変更を行なわなくても、封止性能を向上することができる。
【００５１】
また、本形態では、ハウジング５がハウジング本体６と蓋材７とによって構成されているが、ハウジング本体６と蓋材７との間は第３シール材８ｃによって封止されている。このため、ハウジング本体６と蓋材７との間を通って酸素や水分が有機ＥＬ素子２に到達するには、第１シール材８ａによる封止部分と、第３シール材８ｃによる封止部分とを侵入する必要があるため、封止性能が高い。
【００５２】
また、本形態では、素子基板１１の第１基板面１１ａとハウジング５とによって区画された空間５ａ、および素子基板１１の第２基板面１１ｂ側で透光部材４（レンズアレイ４０）とハウジング５とによって区画された空間５ｂには、ゲッター材９ａ、９ｂが設けられている。このため、素子基板１１の第１基板面１１ａとハウジング５とによって区画された空間５ａに酸素や水分が侵入した場合でゲッター材９ａによって捕捉することができるので、酸素や水分によって有機ＥＬ素子２が劣化することをより確実に防止することができる。また、素子基板１１の第２基板面１１ｂ側で透光部材４（レンズアレイ４０）とハウジング５とによって区画された空間５ｂに酸素や水分が侵入した場合でゲッター材９ｂによって捕捉することができるので、素子基板１１の第１基板面１１ａとハウジング５とによって区画された空間５ａに酸素や水分が侵入することを防止することができる。それ故、酸素や水分によって有機ＥＬ素子２が劣化することをより確実に防止することができる。
【００５３】
［実施の形態１の変形例］
図４（ａ）、（ｂ）は各々、本発明の実施の形態１の変形例に係る露光ヘッド（電気光学装置）の説明図であり、露光ヘッド１０を図３（ｂ）のＢ１−Ｂ１′線に相当する位置で切断したときの断面図に相当する。なお、本形態の基本的な構成は実施の形態１と同様であるため、共通する部分には同一の符号を付して図示し、それらの説明を省略する。
【００５４】
図４（ａ）に示す露光ヘッド１０は、図１（ａ）に示すタイプであり、透光部材４としてレンズアレイ４０のみを備え、透光性スペーサー４５を備えていない。このため、以下に説明するように、透光部材４とハウジング５との間の封止は、レンズアレイ４０とハウジング５との間で行なわれている。
【００５５】
かかる露光ヘッド１０において、ハウジング５は、全体が一体に形成されているが、図３を参照して説明した構成と略同一の構成を有している。すなわち、ハウジング５は、筒状胴部５１および筒状胴部５１の一方端を塞ぐ端板部５２を備えており、筒状胴部５１の他方端側には、透光部材４を透過した光を出射する開口部５４をもって透光部材４（レンズアレイ４０）を保持する透光部材保持部５３を備えている。本形態においては、透光部材保持部５３としては開口部５４が利用されており、かかる開口部５４に透光部材４（レンズアレイ４０）が嵌った状態にある。
【００５６】
かかるハウジング５を用いて露光ヘッド１０を構成するにあたって、本形態でも、実施の形態１と同様、素子基板１１は、有機ＥＬ素子２が形成されている第１基板面１１ａを端板部５２に向けて配置されており、素子基板１１と筒状胴部５１の内壁との間は第１シール材８ａによって封止されている。また、透光部材４（レンズアレイ４０）と透光部材保持部５３（開口部５４）との間は第２シール材８ｂによって封止されている。さらに、素子基板１１の第１基板面１１ａとハウジング５とによって区画された空間５ａ、および素子基板１１の第２基板面１１ｂ側で透光部材４（レンズアレイ４０）とハウジング５とによって区画された空間５ｂにはゲッター材９ａ、９ｂが設けられている。
【００５７】
図４（ｂ）に示す露光ヘッド１０は、図１（ｂ）に示すタイプであり、透光部材４としてレンズアレイ４０および透光性スペーサー４５を備えている。但し、以下に説明するように、透光部材４とハウジング５との間の封止は、レンズアレイ４０とハウジング５との間で行なわれている。ここで、透光性スペーサー４５とレンズアレイ４０とは接着剤９ｅにより接合され、透光性スペーサー４５と素子基板１１の第２基板面１１ｂとは接着剤９ｆにより接合されている。また、ハウジング５は、一方端が開放状態にあるハウジング本体６と、かかるハウジング本体６の開放端側に被せられた蓋材７とからなる。
【００５８】
かかるハウジング５を用いて露光ヘッド１０を構成するにあたって、本形態でも、実施の形態１と同様、素子基板１１は、有機ＥＬ素子２が形成されている第１基板面１１ａを端板部５２に向けて配置されており、素子基板１１と筒状胴部５１の内壁との間は第１シール材８ａによって封止されている。また、透光部材４（レンズアレイ４０）と透光部材保持部５３（開口部５４）との間は第２シール材８ｂによって封止されている。さらに、素子基板１１の第１基板面１１ａとハウジング５とによって区画された空間５ａ、および素子基板１１の第２基板面１１ｂ側で透光部材４（レンズアレイ４０）とハウジング５とによって区画された空間５ｂには、ゲッター材９ａ、９ｂが設けられている。
【００５９】
それ故、図４（ａ）、（ｂ）に示す構成でも、酸素や水分が有機ＥＬ素子２に到達するには、第１シール材８ａによる封止部分と、第２シール材８ｂによる封止部分とを侵入する必要があるため、封止性能が高いなど、実施の形態１と略同様な効果を奏する。
【００６０】
［実施の形態２］
図５は、本発明の実施の形態２に係る露光ヘッド（電気光学装置）の説明図であり、図５（ａ）、（ｂ）、（ｃ）、（ｄ）は各々、本発明の実施の形態２に係る露光ヘッドの全体構成を示す説明図、露光ヘッドを光出射面側からみた底面図、露光ヘッドに用いたハウジングのハウジング本体の説明図、および露光ヘッドの断面図である。なお、図５（ｄ）は、露光ヘッド１０を図５（ｂ）のＢ２−Ｂ２′線に相当する位置で切断したときの断面図に相当する。
【００６１】
図５に示す露光ヘッド１０は、図１（ｂ）に示すタイプであり、透光部材４としてレンズアレイ４０および透光性スペーサー４５を備えている。そこで、本形態では、以下に説明するように、透光部材４とハウジング５との間の封止は、透光性スペーサー４５とハウジング５との間で行なわれている。透光性スペーサー４５とレンズアレイ４０とは接着剤９ｅにより接合され、透光性スペーサー４５と素子基板１１の第２基板面１１ｂとは接着剤９ｆにより接合されている。また、ハウジング５は、全体が一体のものが用いられている。
【００６２】
図５に示す露光ヘッド１０において、ハウジング５は、筒状胴部５１および筒状胴部５１の一方端を塞ぐ端板部５２を備えており、筒状胴部５１の他方端側には、透光部材４を透過した光を出射する開口部５４をもって透光部材４を保持する透光部材保持部５３を備えている。
【００６３】
本形態においては、透光部材保持部５３および開口部５４はいずれも筒状胴部５１の他方端側端部からなり、開口部５４（透光部材保持部５３）に透光部材４（透光性スペーサー４５）が嵌った状態にある。ここで、透光性スペーサー４５は、ハウジング５の内部に完全に収納され、レンズアレイ４０のみがハウジング５から突出している。
【００６４】
かかるハウジング５を用いて露光ヘッド１０を構成するにあたって、本形態では、素子基板１１は、有機ＥＬ素子２が形成されている第１基板面１１ａを端板部５２に向けて配置されており、素子基板１１と筒状胴部５１の内壁との間は第１シール材８ａによって封止されている。
【００６５】
また、本形態では、透光部材４のうち、透光性スペーサー４５の外周面と透光部材保持部５３（開口部５４）との間は、その全体が第２シール材８ｂによって封止されている。ここで、第１シール材８ａと第２シール材８ｂとは一体に形成されている。すなわち、シール材の一部が第１シール材８ａとして機能し、他の部分は第２シール材８ｂと機能している。
【００６６】
さらに、素子基板１１の第１基板面１１ａとハウジング５とによって区画された空間５ａにはゲッター材９ａが設けられている。なお、本形態では、ハウジング５において素子基板１１の第２基板面１１ｂ側には隙間がないため、図３および図４を参照して説明した
ゲッター材９ｂは設けられていない。
【００６７】
また、ハウジング５において、長手方向の一方の端部５６は、素子基板１１の一方の端部１１ｓを引き出すための切り欠き５７が形成されている。かかる切り欠き５７を封止するにあたって、素子基板１１の第１基板面１１ａとハウジング５との間は第１シール材８ａによって封止されている。また。素子基板１１の第２基板面１１ｂと透光性スペーサー４５との間は接着剤９ｆで封止されている。
【００６８】
かかる形態でも、酸素や水分が有機ＥＬ素子２に到達するには、第１シール材８ａによる封止部分と、第２シール材８ｂによる封止部分とを侵入する必要があるため、封止性能が高いなど、実施の形態１と略同様な効果を奏する。
【００６９】
また、本形態では、透光性スペーサー４５の外周面全体が透光部材保持部５３（開口部５４）に第２シール材８ｂで接合されている。このため、第２シール材８ｂでの封止長さが長いので、酸素や水分が有機ＥＬ素子２に到達しないという利点がある。
【００７０】
［実施の形態２の変形例］
図６（ａ）、（ｂ）は各々、本発明の実施の形態２の変形例に係る露光ヘッド（電気光学装置）の説明図であり、露光ヘッド１０を図５（ｂ）のＢ１−Ｂ１′線に相当する位置で切断したときの断面図に相当する。なお、本形態の基本的な構成は実施の形態１、２と同様であるため、共通する部分には同一の符号を付して図示し、それらの説明を省略する。
【００７１】
図６（ａ）、（ｂ）に示す露光ヘッド１０は、図１（ｂ）に示すタイプであり、透光部材４としてレンズアレイ４０および透光性スペーサー４５を備えている。そこで、本形態では、以下に説明するように、透光部材４とハウジング５との間の封止は、透光性スペーサー４５とハウジング５との間で行なわれている。透光性スペーサー４５とレンズアレイ４０とは接着剤９ｅにより接合され、透光性スペーサー４５と素子基板１１の第２基板面１１ｂとは接着剤９ｆにより接合されている。また、ハウジング５は、全体が一体のものが用いられている。
【００７２】
図６（ａ）、（ｂ）に示す露光ヘッド１０において、ハウジング５は、筒状胴部５１および筒状胴部５１の一方端を塞ぐ端板部５２を備えており、筒状胴部５１の他方端側には、透光部材４を透過した光を出射する開口部５４をもって透光部材４を保持する透光部材保持部５３を備えている。本形態においては、透光部材保持部５３および開口部５４はいずれも筒状胴部５１の他方端側端部からなり、開口部５４（透光部材保持部５３）に透光部材４（透光性スペーサー４５）が嵌った状態にある。
【００７３】
図６（ａ）に示す露光ヘッド１０では、透光性スペーサー４５は、ハウジング５の内部に一部のみが収納され、残りはハウジング５から突出している。また、ハウジング５には、図３や図５に示すような段部５１ａが形成されていない。かかるハウジング５を用いて露光ヘッド１０を構成するにあたって、本形態では、素子基板１１は、有機ＥＬ素子２が形成されている第１基板面１１ａを端板部５２に向けて配置されており、素子基板１１と筒状胴部５１の内壁との間は第１シール材８ａによって封止されている。また、透光部材４のうち、透光性スペーサー４５の外周面においてハウジング５に収容されている部分の外周面と透光部材保持部５３（開口部５４）との間は第２シール材８ｂによって封止されている。ここで、第１シール材８ａと第２シール材８ｂとは一体に形成されている。さらに、素子基板１１の第１基板面１１ａとハウジング５とによって区画された空間５ａにはゲッター材９ａが設けられている。かかる形態でも、酸素や水分が有機ＥＬ素子２に到達するには、第１シール材８ａによる封止部分と、第２シール材８ｂによる封止部分とを侵入する必要があるため、封止性能が高いなど、実施の形態１と略同様な効果を奏する。
【００７４】
特に本形態では、透光性スペーサー４５の外周面が透光部材保持部５３（開口部５４）に第２シール材８ｂで接合されているため、第２シール材８ｂでの封止長さが長い。それ故、酸素や水分が有機ＥＬ素子２に到達しないという利点がある。
【００７５】
図６（ｂ）に示す露光ヘッド１０では、透光性スペーサー４５は、ハウジング５の内部に全体が収納され、レンズアレイ４０のみがハウジング５から突出している。また、ハウジング５には、図３や図５に示すような段部５１ａが形成されている。かかるハウジング５を用いて露光ヘッド１０を構成するにあたって、本形態では、素子基板１１は、有機ＥＬ素子２が形成されている第１基板面１１ａを端板部５２に向けて配置されており、素子基板１１と筒状胴部５１の内壁との間は第１シール材８ａによって封止されている。また、透光部材４のうち、透光性スペーサー４５の外周面全体と透光部材保持部５３（開口部５４）との間は第２シール材８ｂによって封止されている。ここで、第２シール材８ｂの一部８ｂａは、ハウジング５の外部まで突出しており、透光性スペーサー４５と透光部材保持部５３（開口部５４）との間を完全に塞いでいる。さらに、素子基板１１の第１基板面１１ａとハウジング５とによって区画された空間５ａにはゲッター材９ａが設けられている。かかる形態でも、酸素や水分が有機ＥＬ素子２に到達するには、第１シール材８ａによる封止部分と、第２シール材８ｂによる封止部分とを侵入する必要があるため、封止性能が高いなど、実施の形態１と略同様な効果を奏する。また、第２シール材８ｂの一部８ｂａは、ハウジング５の外部まで突出しており、透光性スペーサー４５と透光部材保持部５３（開口部５４）との間を完全に塞いでいるため、酸素や水分が侵入しにくい。
【００７６】
［実施の形態３］
図７は、本発明の実施の形態３に係る露光ヘッド（電気光学装置）の説明図であり、露光ヘッド１０を図３（ｂ）のＢ１−Ｂ１′線に相当する位置で切断したときの断面図に相当する。なお、本形態の基本的な構成は実施の形態１と同様であるため、共通する部分には同一の符号を付して図示し、それらの説明を省略する。
【００７７】
図７に示す露光ヘッド１０は、図１（ｂ）に示すタイプであり、透光部材４としてレンズアレイ４０および透光性スペーサー４５を備えている。そこで、以下に説明するように、透光部材４とハウジング５との間の封止は、レンズアレイ４０とハウジング５との間、および透光性スペーサー４５とハウジング５との間の双方で行なわれている。ここで、透光性スペーサー４５とレンズアレイ４０とは接着剤９ｅにより接合され、透光性スペーサー４５と素子基板１１の第２基板面１１ｂとは接着剤９ｆにより接合されている。また、ハウジング５は、一方端が開放状態にあるハウジング本体６と、かかるハウジング本体６の開放端側に被せられた蓋材７とからなる。
【００７８】
ハウジング５は、筒状胴部５１および筒状胴部５１の一方端を塞ぐ端板部５２を備えており、筒状胴部５１の他方端側には、透光部材４を透過した光を出射する開口部５４が形成されている。ここで、透光性スペーサー４５に対する透光部材保持部５３ａは、筒状胴部５１の他方端自身によって形成され、レンズアレイ４０に対する透光部材保持部５３ｂは、蓋材７に形成された開口部５４が利用されている。このため、透光性スペーサー４５は筒状胴部５１の他方端（透光部材保持部５３ａ）に嵌っており、レンズアレイ４０は開口部５４（透光部材保持部５３ｂ）に嵌っている。
【００７９】
かかるハウジング５を用いて露光ヘッド１０を構成するにあたって、本形態では、素子基板１１は、有機ＥＬ素子２が形成されている第１基板面１１ａを端板部５２に向けて配置されており、素子基板１１と筒状胴部５１の内壁との間は第１シール材８ａによって封止されている。
【００８０】
また、透光部材４のうち、透光性スペーサー４５の外周面と筒状胴部５１の他方端（透光部材保持部５３ａ）との間は第２シール材８ｂによって封止されている。また、レンズアレイ４０の外周面と開口部５４（透光部材保持部５３ｂ）との間も第２シール材８ｂによって封止されている。ここで、第１シール材８ａと、透光性スペーサー４５の外周面と筒状胴部５１の他方端（透光部材保持部５３ａ）との間の第２シール材８ｂとは、一体に形成されている。また、ハウジング本体６と蓋材７との間は第３シール材８ｃによって封止されている。
【００８１】
さらに、素子基板１１の第１基板面１１ａとハウジング５とによって区画された空間５ａ、および素子基板１１の第２基板面１１ｂ側で透光部材４（レンズアレイ４０）とハウジング５とによって区画された空間５ｂには、ゲッター材９ａ、９ｂが設けられている。
【００８２】
かかる形態でも、酸素や水分が有機ＥＬ素子２に到達するには、第１シール材８ａによる封止部分と、第２シール材８ｂによる封止部分とを侵入する必要があるため、封止性能が高いなど、実施の形態１と略同様な効果を奏する。
【００８３】
特に本形態では、第２シール材８ｂによる封止部分は、透光性スペーサー４５の外周面と筒状胴部５１の他方端（透光部材保持部５３ａ）との間、およびレンズアレイ４０の外周面と開口部５４（透光部材保持部５３ｂ）との間に存在するため、第２シール材８ｂでの封止長さが長い。それ故、酸素や水分が有機ＥＬ素子２に到達しないという利点がある。
【００８４】
［実施の形態３の変形例］
図８は、本発明の実施の形態３の変形例に係る露光ヘッド（電気光学装置）の説明図であり、露光ヘッド１０を図３（ｂ）のＢ１−Ｂ１′線に相当する位置で切断したときの断面図に相当する。なお、本形態の基本的な構成は実施の形態１と同様であるため、共通する部分には同一の符号を付して図示し、それらの説明を省略する。
【００８５】
図８に示す露光ヘッド１０は、図１（ｂ）に示すタイプであり、透光部材４としてレンズアレイ４０および透光性スペーサー４５を備えている。そこで、以下に説明するように、透光部材４とハウジング５との間の封止は、レンズアレイ４０とハウジング５との間、および透光性スペーサー４５とハウジング５との間の双方で行なわれている。ここで、透光性スペーサー４５とレンズアレイ４０とは接着剤９ｅにより接合され、透光性スペーサー４５と素子基板１１の第２基板面１１ｂとは接着剤９ｆにより接合されている。また、ハウジング５は、一方端が開放状態にあるハウジング本体６と、かかるハウジング本体６の開放端側に被せられた蓋材７とからなる。
【００８６】
ハウジング５は、筒状胴部５１および筒状胴部５１の一方端を塞ぐ端板部５２を備えており、筒状胴部５１の他方端側には、透光部材４を透過した光を出射する開口部５４が形成されている。ここで、透光性スペーサー４５に対する透光部材保持部５３ａは、筒状胴部５１の他方端自身によって形成され、レンズアレイ４０に対する透光部材保持部５３ｂは、蓋材７に形成された開口部５４が利用されている。このため、透光性スペーサー４５は筒状胴部５１の他方端（透光部材保持部５３ａ）に嵌っており、レンズアレイ４０は開口部５４（透光部材保持部５３ｂ）に嵌っている。
【００８７】
かかるハウジング５を用いて露光ヘッド１０を構成するにあたって、本形態では、素子基板１１は、有機ＥＬ素子２が形成されている第１基板面１１ａを端板部５２に向けて配置されており、素子基板１１と筒状胴部５１の内壁との間は第１シール材８ａによって封止されている。
【００８８】
また、透光部材４のうち、透光性スペーサー４５の外周面と筒状胴部５１の他方端（透光部材保持部５３ａ）との間は第２シール材８ｂによって封止されている。ここで、第１シール材８ａと、透光性スペーサー４５の外周面と筒状胴部５１の他方端（透光部材保持部５３ａ）との間の第２シール材８ｂとは、一体に形成されている。
【００８９】
また、レンズアレイ４０の外周面と、蓋材７の開口部５４（透光部材保持部５３ｂ）の周りとの間も第２シール材８ｂによって封止されている。ここで、レンズアレイ４０の外周面と開口部５４（透光部材保持部５３ｂ）との間の第２シール材８ｂは、蓋材７において素子基板１１が位置する側の全面に形成され、ハウジング本体６と蓋材７との間も封止している。
【００９０】
さらに、素子基板１１の第１基板面１１ａとハウジング５とによって区画された空間５ａにはゲッター材９ａが設けられている。なお、本形態では、ハウジング５において素子基板１１の第２基板面１１ｂ側には隙間がないため、図７を参照して説明したゲッター材９ｂは設けられていない。
【００９１】
かかる形態でも、酸素や水分が有機ＥＬ素子２に到達するには、第１シール材８ａによる封止部分と、第２シール材８ｂによる封止部分とを侵入する必要があるため、封止性能が高いなど、実施の形態１と略同様な効果を奏する。
【００９２】
特に本形態では、第２シール材８ｂによる封止部分は、透光性スペーサー４５の外周面と筒状胴部５１の他方端（透光部材保持部５３ａ）との間、およびレンズアレイ４０の外周面と開口部５４（透光部材保持部５３ｂ）との間に存在するため、第２シール材８ｂでの封止長さが長い。それ故、酸素や水分が有機ＥＬ素子２に到達しないという利点がある。
【００９３】
［他の実施の形態］
上記実施の形態では、素子基板１１の第１基板面１１ａの側において陰極層２５の上層に封止膜や封止基板が設けられていない構成であったが、陰極層２５の上層にシリコン窒化膜などを用いた封止膜が積層されている素子基板１１や、素子基板１１の第１基板面１１ａの側に封止基板が設けられている露光ヘッド１０に本発明を適用してもよい。
【００９４】
上記実施形態においては、発光素子として有機ＥＬ素子２を用いたが、発光素子としては、無機ＥＬ素子やＬＥＤ（Light Emitting Diode）を用いた場合にも本発明を適用することができる。
【００９５】
上記実施形態においては、電気光学装置を露光ヘッド１０として構成した例であったが、素子基板１１の第２基板面１１ｂ側に透光部材４を備えている構成であれば、画像形成装置１００の露光ヘッド１０以外にも、発光素子を光源として用いた照明装置などの電子機器や、携帯電話機などの電子機器に用いる電気光学装置に本発明を適用してもよい。
【００９６】
［画像形成装置の全体構成］
図９および図１０を参照して、本発明を適用した画像形成装置の全体構成を説明する。図９および図１０は各々、本発明を適用した画像形成装置の全体構成を示す縦断面図、および本発明を適用した別の画像形成装置の全体構成を示す縦断面図である。
【００９７】
（画像形成装置の構成例１）
図９に示す画像形成装置１００は、ベルト中間転写体方式を利用したタンデム型のフルカラー画像形成装置である。この画像形成装置１００では、４個の露光ヘッド１０Ｋ、１０Ｃ、１０Ｍ、１０Ｙが、４個の感光体ドラム（像担持体）１１０Ｋ、１１０Ｃ、１１０Ｍ、１１０Ｙの露光位置にそれぞれ配置されている。露光ヘッド１０Ｋ、１０Ｃ、１０Ｍ、１０Ｙは、上記の各実施形態に係る露光ヘッド１０である。
【００９８】
画像形成装置１００には、駆動ローラー１２１と従動ローラー１２２とが設けられており、これらのローラー１２１、１２２には無端の中間転写ベルト１２０が巻回されて、矢印に示すようにローラー１２１、１２２の周囲を回転させられる。図示しないが、中間転写ベルト１２０に張力を与えるテンションローラーなどの張力付与手段を設けてもよい。
【００９９】
中間転写ベルト１２０の周囲には、外周面に感光層を有する４個の感光体ドラム１１０Ｋ、１１０Ｃ、１１０Ｍ、１１０Ｙが互いに所定の間隔をおいて配置される。添え字Ｋ、Ｃ、Ｍ、Ｙはそれぞれ黒、シアン、マゼンタ、イエローの顕像を形成するために使用されることを意味している。他の部材についても同様である。感光体ドラム１１０Ｋ、１１０Ｃ、１１０Ｍ、１１０Ｙは、中間転写ベルト１２０の駆動と同期して回転駆動される。
【０１００】
各感光体ドラム１１０（Ｋ、Ｃ、Ｍ、Ｙ）の周囲には、コロナ帯電器１１１（Ｋ、Ｃ、Ｍ、Ｙ）と、露光ヘッド１０（露光ヘッド１０Ｋ、Ｃ、Ｍ、Ｙ）と、現像器１１４（Ｋ、Ｃ、Ｍ、Ｙ）とが配置されている。コロナ帯電器１１１（Ｋ、Ｃ、Ｍ、Ｙ）は、これに対応する感光体ドラム１１０（Ｋ、Ｃ、Ｍ、Ｙ）の外周面を一様に帯電させる。露光ヘッド１０（露光ヘッド１０Ｋ、Ｃ、Ｍ、Ｙ）は、感光体ドラムの帯電させられた外周面に静電潜像を書き込む。各露光ヘッド１０（Ｋ、Ｃ、Ｍ、Ｙ）は、複数の有機ＥＬ素子２が感光体ドラム１１０（Ｋ、Ｃ、Ｍ、Ｙ）の母線（主走査方向）に沿って配列するように設置される。静電潜像の書き込みは、複数の発光素子（有機ＥＬ素子２）によって感光体ドラムに光を照射することにより行う。現像器１１４（Ｋ、Ｃ、Ｍ、Ｙ）は、静電潜像に現像剤としてのトナーを付着させることにより感光体ドラムに顕像すなわち可視像を形成する。
【０１０１】
このような４色の単色顕像形成ステーションにより形成された黒、シアン、マゼンタ、イエローの各顕像は、中間転写ベルト１２０上に順次一次転写されることにより、中間転写ベルト１２０上で重ね合わされ、この結果としてフルカラーの顕像が得られる。中間転写ベルト１２０の内側には、４つの一次転写コロトロン（転写器）１１２（Ｋ、Ｃ、Ｍ、Ｙ）が配置されている。一次転写コロトロン１１２（Ｋ、Ｃ、Ｍ、Ｙ）は、感光体ドラム１１０（Ｋ、Ｃ、Ｍ、Ｙ）の近傍にそれぞれ配置されており、感光体ドラム１１０（Ｋ、Ｃ、Ｍ、Ｙ）から顕像を静電的に吸引することにより、感光体ドラムと一次転写コロトロンの間を通過する中間転写ベルト１２０に顕像を転写する。
【０１０２】
最終的に画像を形成する対象としてのシート１０２は、ピックアップローラー１０３によって、給紙カセット１０１から１枚ずつ給送されて、駆動ローラー１２１に接した中間転写ベルト１２０と二次転写ローラー１２６の間のニップに送られる。中間転写ベルト１２０上のフルカラーの顕像は、二次転写ローラー１２６によってシート１０２の片面に一括して二次転写され、定着部である定着ローラー対１２７を通ることでシート１０２上に定着される。この後、シート１０２は、排紙ローラー対１２８によって、装置上部に形成された排紙カセット上へ排出される。
【０１０３】
かかる画像形成装置１００は、有機ＥＬ材料からなる発光層を含む発光素子（有機ＥＬ素子）を書込手段（露光手段）として利用しているので、レーザー走査光学系を用いた場合よりも、装置の小型化を図ることができる。
【０１０４】
（画像形成装置の構成例２）
図１０に示す画像形成装置１００は、ベルト中間転写体方式を利用したロータリー現像式のフルカラー画像形成装置であり、感光体ドラム１６５の周囲には、コロナ帯電器１６８、ロータリー式の現像ユニット１６１と、露光ヘッド１６７と、中間転写ベルト１６９とが設けられている。
【０１０５】
コロナ帯電器１６８は、感光体ドラム１６５の外周面を一様に帯電させる。露光ヘッド１６７は、感光体ドラム１６５の帯電させられた外周面に静電潜像を書き込む。この露光ヘッド１６７は、上記実施形態に係る露光ヘッド１０である。
【０１０６】
現像ユニット１６１は、４つの現像器１６３Ｙ、１６３Ｃ、１６３Ｍ、１６３Ｋが９０°の角間隔をおいて配置されたドラムであり、軸１６１ａを中心にして反時計回りに回転可能である。現像器１６３Ｙ、１６３Ｃ、１６３Ｍ、１６３Ｋは、それぞれイエロー、シアン、マゼンタ、黒のトナーを感光体ドラム１６５に供給して、静電潜像に現像剤としてのトナーを付着させることにより感光体ドラム１６５に顕像すなわち可視像を形成する。
【０１０７】
無端の中間転写ベルト１６９は、駆動ローラー１７０ａ、従動ローラー１７０ｂ、一次転写ローラー１６６およびテンションローラーに巻回されて、これらのローラーの周囲を矢印に示す向きに回転させられる。一次転写ローラー１６６は、感光体ドラム１６５から顕像を静電的に吸引することにより、感光体ドラムと一次転写ローラー１６６の間を通過する中間転写ベルト１６９に顕像を転写する。
【０１０８】
具体的には、感光体ドラム１６５の最初の１回転で、露光ヘッド１６７によりイエロー（Ｙ）像のための静電潜像が書き込まれて現像器１６３Ｙにより同色の顕像が形成され、さらに中間転写ベルト１６９に転写される。また、次の１回転で、露光ヘッド１６７によりシアン（Ｃ）像のための静電潜像が書き込まれて現像器１６３Ｃにより同色の顕像が形成され、イエローの顕像に重なり合うように中間転写ベルト１６９に転写される。そして、このようにして感光体ドラム１６５が４回転する間に、イエロー、シアン、マゼンタ、黒の顕像が中間転写ベルト１６９に順次重ね合わせられ、この結果フルカラーの顕像が転写ベルト１６９上に形成される。最終的に画像を形成する対象としてのシートの両面に画像を形成する場合には、中間転写ベルト１６９に表面と裏面の同色の顕像を転写し、次に中間転写ベルト１６９に表面と裏面の次の色の顕像を転写する形式で、フルカラーの顕像を中間転写ベルト１６９上で得る。
【０１０９】
画像形成装置には、シートが通過させられるシート搬送路１７４が設けられている。シートは、給紙カセット１７８から、ピックアップローラー１７９によって１枚ずつ取り出され、搬送ローラーによってシート搬送路１７４を進行させられ、駆動ローラー１７０ａに接した中間転写ベルト１６９と二次転写ローラー１７１の間のニップを通過する。二次転写ローラー１７１は、中間転写ベルト１６９からフルカラーの顕像を一括して静電的に吸引することにより、シートの片面に顕像を転写する。二次転写ローラー１７１は、図示しないクラッチにより中間転写ベルト１６９に接近および離間させられるようになっている。そして、シートにフルカラーの顕像を転写する時に二次転写ローラー１７１は中間転写ベルト１６９に当接させられ、中間転写ベルト１６９に顕像を重ねている間は二次転写ローラー１７１から離される。
【０１１０】
以上のようにして画像が転写されたシートは定着器１７２に搬送され、定着器１７２の加熱ローラー１７２ａと加圧ローラー１７２ｂの間を通過させられることにより、シート上の顕像が定着する。定着処理後のシートは、排紙ローラー対１７６に引き込まれて矢印Ｆの向きに進行する。両面印刷の場合には、シートの大部分が排紙ローラー対１７６を通過した後、排紙ローラー対１７６が逆方向に回転させられ、矢印Ｇで示すように両面印刷用搬送路１７５に導入される。そして、二次転写ローラー１７１により顕像がシートの他面に転写され、再び定着器１７２で定着処理が行われた後、排紙ローラー対１７６でシートが排出される。
【０１１１】
かかる画像形成装置１００は、有機ＥＬ材料からなる発光層を含む発光素子（有機ＥＬ素子２）を書込手段（露光手段）として利用しているので、レーザー走査光学系を用いた場合よりも、装置の小型化を図ることができる。
【０１１２】
（他の構成例）
なお、以上に例示した以外の電子写真方式の画像形成装置にも本発明の発光装置を採用することができる。例えば、中間転写ベルトを使用せずに感光体ドラムから直接シートに顕像を転写するタイプの画像形成装置や、モノクロの画像を形成する画像形成装置にも本発明に係る発光装置を応用することが可能である。
【符号の説明】
【０１１３】
２・・有機ＥＬ素子（発光素子）、４・・透光部材、５・・ハウジング、６・・ハウジング本体、７・・蓋材、８ａ・・第１シール材、８ｂ・・第２シール材、８ｃ・・第３シール材、１０・・露光ヘッド（電気光学装置）、１１・・素子基板、１１ａ・・第１基板面、１１ｂ・・第２基板面、４０・・レンズアレイ（透光部材）、４５・・透光性スペーサー、５３、５３ａ、５３ｂ・・透光部材保持部、１１０・・感光体ドラム、１１０ｓ・・像担持面、１００・・画像形成装置
【図１】
2010240848.tif 000003
【図２】
2010240848.tif 000004
【図３】
2010240848.tif 000005
【図４】
2010240848.tif 000006
【図５】
2010240848.tif 000007
【図６】
2010240848.tif 000008
【図７】
2010240848.tif 000009
【図８】
2010240848.tif 000010
【図９】
2010240848.tif 000011
【図１０】
2010240848.tif 000012
【図１１】
2010240848.tif 000013